(57)【特許請求の範囲】
【請求項１】
複数の指向性パターンを生成する第１の指向性生成手段と、
前記複数の指向性パターンで受信した信号から前記複数の指向性パターンにそれぞれ対応する複数の遅延プロファイルを生成する遅延プロファイル生成手段と、
前記複数の遅延プロファイル上に現れた同一パスを示すピークを補正して補正後のピークの大きさに基づいてパスを選択するパスサーチ手段と、
前記パスサーチ手段にて選択されたパスのタイミングで受信信号を逆拡散する逆拡散手段と、
を具備することを特徴とする無線基地局装置。
【請求項２】
前記パスサーチ手段は、同一パスによる２つのピークの大きさの比率を算出するピーク比率算出手段と、
前記ピークの大きさの比率に基づいて指向性の影響で生じたピークのロスを推定してピークを補正するピーク補正手段と、
補正されたピークを降順に所定数選択するパス選択を行うパス選択手段と、
を具備することを特徴とする請求項１に記載の無線基地局装置。
【請求項３】
前記パスサーチ手段は、遅延プロファイル上の所定の閾値を越えるピークを検出するピーク検出手段と、
隣り合う指向性パターンに対応する遅延プロファイル上に現れた２つのピークの位相差と所定の閾値との閾値判定に基づいて前記２つのピークが同一パスによるものか否かを判定する同一パス判定手段と、
を具備することを特徴とする請求項２に記載の無線基地局装置。
【請求項４】
前記複数の遅延プロファイル上のピークが同一パスを示している場合、当該パスの到来方向に指向性パターンを生成する第２の指向性生成手段を具備することを特徴とする請求項１に記載の無線基地局装置。
【請求項５】
前記複数の遅延プロファイル上のピークが同一パスを示している場合、補正後のピークが最も大きいパスの到来方向に指向性を向けることを特徴とする請求項１に記載の無線基地局装置。
【請求項６】
複数の指向性パターンを生成し、
各指向性パターンで受信した信号から前記複数の指向性パターンにそれぞれ対応する複数の遅延プロファイルを生成し、
前記複数の遅延プロファイル上に現れた同一パスを示すピークを補正し、
補正後のピークの大きさに基づいてパス選択を行い、選択されたパスのタイミングで受信信号を逆拡散する
ことを特徴とする無線通信方法。
【請求項７】
前記複数の遅延プロファイル上のピークが同一パスを示している場合、パスの到来方向に指向性パターンを生成することを特徴とする請求項６に記載の無線通信方法。
【発明の詳細な説明】
【０００１】
【発明の属する技術分野】
本発明は、ディジタル無線通信システムにおいて使用される無線基地局装置及び無線通信方法に関し、特にアダプティブアレイアンテナを備えて指向性受信を行う無線基地局装置および無線通信方法に関する。
【０００２】
【従来の技術】
アダプティブアレイアンテナを備えた無線基地局装置では、複数ブランチと指向性ウェイトを用いることで、指向性のビーム方向のみ強力に受信することができる。この無線基地局装置は、各指向性に対応した遅延プロファイルを生成して、干渉を抑えたパスを見つけることができる。
【０００３】
このようなアダプティブアレイアンテナを備えた無線基地局装置が、通信端末から送信された信号を受信する場合について、図１２を用いて説明する。図１２は、指向性のビーム方向とマルチパスの到来波を示す概念図である。図１２において、参照符号１１から参照符号１４は、指向性パターンを示しており、参照符号１５と参照符号１６はマルチパスを示している。
【０００４】
図１２の場合、従来の無線基地局装置は、指向性パターン１２の遅延プロファイルによりパス１６のピークを検出し、指向性パターン１２または指向性パターン１３の遅延プロファイルによりパス１５のピークを検出する。そして、ピークを降順（ピークの大きいパスから順）に整列して、パスを選択している。
【０００５】
【発明が解決しようとする課題】
しかしながら、上記従来例では、マルチパス環境下において、パス選択時に隣り合う指向性の谷間（例えば、指向性１２と指向性１３の間）に到来したパスが、他のパスよりも電力が大きく、復調精度が高い場合、すなわち、本来選択されるべきパスであっても選択されない場合がある。図１２を参照するに、パス１５は、２つの指向性（指向性１２と指向性１３）の遅延プロファイルからピークを得られるが、パス１６と受信電力が同値でも指向性の影響を受けるため、遅延プロファイルのピークにロスが発生し、パス１６より低いピークとして検出される。このとき、パス選択は、遅延プロファイルのピークを降順（ピークの高いパスから順）に選択していくため、パス１５が選択から漏れてしまうことがある。
【０００６】
本発明はかかる点に鑑みてなされたものであり、隣り合う２つの指向性の谷間に到来した本来選択されるべき復調精度の高いパスが、選択されなくなることを防止する無線基地局装置及び無線通信方法を提供することを目的とする。
【０００７】
【課題を解決するための手段】
本発明の無線基地局装置は、複数の指向性パターンを生成する第１の指向性生成手段と、前記複数の指向性パターンで受信した信号から前記複数の指向性パターンにそれぞれ対応する複数の遅延プロファイルを生成する遅延プロファイル生成手段と、前記複数の遅延プロファイル上に現れた同一パスを示すピークを補正して補正後のピークの大きさに基づいてパスを選択するパスサーチ手段と、前記パスサーチ手段にて選択されたパスのタイミングで受信信号を逆拡散する逆拡散手段と、を具備する構成を採る。
【０００８】
この構成によれば、隣り合う２つの指向性の谷間に到来したパスにおいて、指向性ウェイトの影響を受けて発生した遅延プロファイル上のピークのロスを補正することにより、本来選択されるべき復調精度の高いパスが、選択されなくなることを防止することができる。
【０００９】
また、本発明の無線基地局装置は、パスサーチ手段は、同一パスによる２つのピークの大きさの比率を算出するピーク比率算出手段と、前記ピークの大きさの比率に基づいて指向性の影響で生じたピークのロスを推定してピークを補正するピーク補正手段と、補正されたピークを降順に所定数選択するパス選択を行うパス選択手段と、を具備する構成を採る。
【００１０】
また、本発明の無線基地局装置は、パスサーチ手段は、遅延プロファイル上の所定の閾値を越えるピークを検出するピーク検出手段と、隣り合う指向性パターンに対応する遅延プロファイル上に現れた２つのピークの位相差と所定の閾値との閾値判定に基づいて前記２つのピークが同一パスによるものか否かを判定する同一パス判定手段と、を具備する構成を採る。
【００１１】
これらの構成によれば、隣り合う２つの指向性の谷間にパスが到来した場合、隣り合う２つの指向性に対応した遅延プロファイル上のほぼ同位相に存在する２つのピークの比率からピークのロスを補正する補正値を推定し、指向性によるピークのロスを補正することができるため、本来選択されるべき復調精度の高いパスが選択されなくなることを防止することができる。
【００１２】
本発明の無線基地局装置は、前記複数の遅延プロファイル上のピークが同一パスを示している場合、当該パスの到来方向に指向性パターンを生成する第２の指向性生成手段を具備する構成を採る。
【００１３】
本発明の無線基地局装置は、前記複数の遅延プロファイル上のピークが同一パスを示している場合、補正後のピークが最も大きいパスの到来方向に指向性を向ける構成を採る。
【００１４】
これらの構成によれば、初期受信時に隣り合う２つの指向性の谷間に到来した本来選択されるべきパスを、第２の指向性パターンで受信することができるため、到来方向が異なる他のパスもしくは他移動局送信波の影響を軽減し、パス選択を行うことができる。
【００１５】
本発明の無線通信方法は、複数の指向性パターンを生成し、各指向性パターンで受信した信号から前記複数の指向性パターンにそれぞれ対応する複数の遅延プロファイルを生成し、前記複数の遅延プロファイル上に現れた同一パスを示すピークを補正し、補正後のピークの大きさに基づいてパス選択を行い、選択されたパスのタイミングで受信信号を逆拡散するようにした。
【００１６】
この方法によれば、隣り合う２つの指向性の谷間に到来した本来選択されるべき復調精度の高いパスが、選択されなくなることを防止することができる。
【００１７】
本発明の無線通信方法は、前記複数の遅延プロファイル上のピークが同一パスを示している場合、パスの到来方向に指向性パターンを生成するにようにした。
【００１８】
この方法によれば、到来方向が異なる他のパスもしくは他移動局送信波の影響を軽減し、パス選択を行うことができる。
【００１９】
【発明の実施の形態】
本発明の骨子は、アダプティブアレイアンテナを備えた基地局装置が、各指向性に対応した遅延プロファイルを生成し、隣り合う２つの指向性に対応した遅延プロファイル上に同一パスを示すピークがある場合、２つのピークの大きさから算出した比率に基づいて、指向性によるピークのロスを補正した上でパスを選択することである。
【００２０】
以下、本発明の実施の形態について、添付図面を参照して詳細に説明する。
【００２１】
（実施の形態１）
本実施の形態では、隣り合う２つの指向性の谷間にパスが到来したとき、隣り合う２つの指向性に対応した遅延プロファイル上において、ほぼ同位相に検出される同一パスのピークの大きさから算出した比率に基づいて、補正値を算出し、指向性によるピークのロスを補正する場合について説明する。
【００２２】
図１は、本発明の実施の形態１に係る無線基地局装置の構成を示すブロック図である。複数のアダプティブアレイアンテナ１０１（図１においては３つ）を有し、各アダプティブアレイアンテナ１０１を介して受信した信号（受信信号）を受信信号変換部１０２に出力する。受信信号変換部１０２は、受信信号に対してダウンコンバートや直交復調、アナログディジタル変換処理等の処理を行った後、処理後の信号を指向性生成部１０４に出力すると共に逆拡散部１０７に出力する。
【００２３】
指向性情報生成部１０３は、外部からの入力情報である各ブランチに対しての振幅、位相の変化量を１グループとしてとらえ、予めいくつかのグループに指向性の角度をパラメータとして対応づけておき、これをもとに該当するパラメータを選択し、指向性生成部１０４とパスサーチ部１０６に出力する。
【００２４】
指向性生成部１０４は、受信信号変換部１０２からの受信信号に対して、指向性情報生成部１０３から出力されたパラメータに基づいて、ビームを向けたい角度の指向性ウェイトを乗算することにより受信信号を位相回転させ、それらの乗算結果を足し合わせて合成することで指向性を生成し、各指向性の受信信号を遅延プロファイル生成部１０５に出力する。
【００２５】
遅延プロファイル生成部１０５は、本実施の形態において４つ設けられており、指向性生成部１０４により得られた各指向性の受信信号に対して、既知の拡散符号との相関をとり、その相関値の時間変動を表した遅延プロファイルを生成する。ここでは、４つの指向性において受信した信号に対応する遅延プロファイルを生成することができる。生成された各遅延プロファイルをパスサーチ部１０６に出力する。
【００２６】
パスサーチ部１０６は、遅延プロファイル生成部１０５により出力された各遅延プロファイルのピークを検出し、指向性情報生成部１０３により生成されたパラメータなどの所定の条件に基づいて、ピークを補正した上でパス選択を行い、パスのタイミングを逆拡散部１０７に報知する。なお、パスサーチ部１０６における処理の詳細については後述する。
【００２７】
逆拡散部１０７は、パスサーチ部１０６によって選択されたパスのタイミングをフィンガに割当て、受信信号に対して無線端末に対応する拡散符号を乗じることにより拡散前の信号を復元する。そして、逆拡散部１０７は、逆拡散後の信号を復調部１０８に出力する。
【００２８】
復調部１０８は、逆拡散部１０７より出力された逆拡散後の信号を復調し、情報信号を得る。
【００２９】
次に、パスサーチ部１０６の内部構成について、図２を用いて詳しく説明する。ピーク検出部２０１は、遅延プロファイル生成部１０５によって生成された各遅延プロファイルに基づいて所定の閾値を越えるピークを検出し、ピークおよびピークのタイミングを同一パス判定部２０２に出力する。同一パス判定部２０２は、ピーク検出部２０１によって検出されたピークが、同一パスによるものかどうかを判定し、判定結果をピーク比率算出部２０３に出力する。なお、同一パス判定部２０２の詳細な説明は後述する。
【００３０】
ピーク比率算出部２０３は、同一パス判定部２０２において同一のパスによるものと判定された２つのピークの大きさから比率（以下、「ピーク比率」という）を算出し、算出結果をピーク補正部２０５に出力する。なお、ピーク比率算出部２０３の詳細な説明は後述する。
【００３１】
角度／ゲイン算出部２０４は、指向性情報生成部１０３により生成された指向性情報に基づいて、指向性の角度と利得（ゲイン）を算出し、指向性パターンを求め、ピーク補正部２０５に出力する。
【００３２】
ピーク補正部２０５は、ピーク比率算出部２０３によって算出されたピーク比率と角度／ゲイン算出部２０４によって算出された指向性パターンに基づいて補正値を算出し、算出した補正値を対応するピークに乗算して補正後のピークをパス選択部２０６に出力する。
【００３３】
パス選択部２０６は、ピーク補正部２０５より出力された補正後のピークの降順にパスを所定数選択し、パスのタイミングを逆拡散部１０７に報知する。
【００３４】
次に、上記構成を有する無線基地局装置の動作について説明する。各アダプティブアレイアンテナ１０１を介して受信した信号(受信信号)は、受信信号変換部１０２において、ダウンコンバートや直交復調、アナログディジタル変換処理等の処理が行われた後、指向性生成部１０４と逆拡散部１０７に出力される。
【００３５】
指向性情報生成部１０３に外部から入力されてきた各ブランチに対しての振幅、位相の変化量の情報が、指向性情報生成部１０３において、１グループとして捉えられ、予めいくつかのグループに指向性の角度をパラメータとして対応づけておき、これをもとに該当するパラメータが選択され、指向性生成部１０４とパスサーチ部１０６に出力される。
【００３６】
受信信号変換部１０２より出力された複数の信号は、指向性生成部１０４において、指向性情報生成部１０３から出力されたパラメータに基づいて、ビームを向けたい角度の指向性ウェイトが乗算され、乗算結果が足し合わされて合成され、指向性が生成される。各指向性の受信信号は、遅延プロファイル生成部１０５において、各指向性の受信信号に基づいて、それぞれの指向性に対応する遅延プロファイルが生成される。生成された遅延プロファイルは、パスサーチ部１０６において、ピークが検出され、指向性情報生成部１０３により生成されたパラメータなどの所定の条件に基づいてパス選択が行われ、パスのタイミングが逆拡散部１０７に出力される。
【００３７】
受信信号変換部１０２より出力された処理後の複数の信号は、逆拡散部１０７において、パスサーチ部１０６で選択されたパスのタイミングに基づいて逆拡散が行われ、復調部１０８に出力される。逆拡散後の信号は、復調部１０８において、復調され、情報信号が得られる。
【００３８】
次に、パスサーチ部１０６内の動作について説明する。ピーク検出部２０１では、遅延プロファイル生成部１０５によって生成された各遅延プロファイルに基づいて、所定の閾値を越えるピークが検出され、ピークの大きさおよびピークのタイミングが同一パス判定部２０２に出力される。ピーク検出部２０１によって検出されたピークは、同一パス判定部２０２において、遅延プロファイル毎に位相値の大きさにしたがって（降順に）整列させられる。そして、一番大きなピークと隣り合う指向性から得られたピークとが比較され、同一パスが存在するかどうかが判定される。
【００３９】
ピークを比較した結果、同一パスがあると判定された場合、ピークの大きさおよびピークのタイミングがピーク比率算出部２０３に出力される。一方、同一パスがないと判定された場合、次に大きなピークのタイミングであるピークを基準に、同一パスと判定されるピークが見つかるまで、基準とするピークの大きさを順々に下げ、隣り合う指向性から得られたピークとを比較し、上記と同様な判定が行われる。比較候補がなくなった場合、次のフレーム処理に移行する。
【００４０】
同一パス判定部２０２において、隣り合う指向性から得られた２つのピークが、同一のパスであると判定されたことより、ピーク比率算出部２０３において、その２つのピーク比率が算出され、算出結果がピーク補正部２０５に出力される。
【００４１】
角度／ゲイン算出部２０４では、指向性情報生成部１０３により生成された指向性情報（パラメータ）に基づいて、指向性の角度と利得（ゲイン）が算出され、指向性パターンが求められ、ピーク補正部２０５に出力される。
【００４２】
ピーク補正部２０５では、ピーク比率算出部２０３によって算出されたピーク比率に基づいて、補正値が算出される。そして、遅延プロファイル生成部１０５より出力された遅延プロファイルにおいて該当するピークのうち大きい方のピークに、ピーク比率算出部２０３より算出された補正値が乗算される。また、補正しなかったもう一方のピークは、パス選択の対象から外される。このようにして得られた遅延プロファイルはパス選択部２０６に出力される。
【００４３】
パス選択部２０６では、ピーク補正部２０５より出力された補正後のピークの降順にパスが所定数選択され、パスのタイミングが逆拡散部１０７に報知される。
【００４４】
次に、同一パス判定部２０２における同一パスの判定方法について詳細に説明する。図３は、各指向性に対応した遅延プロファイルから同一パス判定の処理を示す図である。図３の左側は、各遅延プロファイル生成部１０５により生成された４つの指向性Ａ〜Ｄの遅延プロファイルを示す。図３の右側は、各遅延プロファイルに現れたピークを位相値の大きさにしたがって整列した様子を示す。図３の右側において最大のピーク、すなわち指向性Ｃのピーク３０４を検出し、指向性Ｃと隣り合う指向性Ｂまたは指向性Ｄから得られたピークとの位相値を比較する。具体的には、２つのピークの位相値の差分（位相差）を求め、その位相差が所定の閾値（Ｚ）以下の場合（｜Ｘ−Ｙ｜≦Ｚ、Ｘ，Ｙ：比較する２つのピークの位相値）、この２つのピークは同一パスによるものと判定する。この場合、位相値Ｘである指向性Ｂのピーク３０２が位相値Ｙである指向性Ｃのピーク３０４と同一のパスによるものであると判定する。なお、最大ピーク３０４と同一のパスがなかった場合、基準とするピークを大きい順で決め、基準となるピークとその隣り合う指向性から得られたピークとの位相値を比較する。すなわちピーク３０４と同一のパスを示すピークがなかった場合、ピーク３０４の次に大きいピーク３０２を基準に、指向性Ｂと隣り合う指向性Ａまたは指向性Ｃから得られたピークとの位相値を比較する。ピーク３０２と同一のパスを示すピークがなかった場合には、さらに、ピーク３０２の次に大きなピーク３０６を基準に隣り合う指向性から得られたピークと比較するというように、同一のパスと判定されるまで、または全てのピークについて比較されるまで同一パス判定が行われる。
【００４５】
次に、ピーク比率算出部２０３におけるピーク比率の算出方法について説明する。図４は、隣り合う２つの指向性（図３における指向性Ｂと指向性Ｃに相当）の遅延プロファイルからほぼ同位相で検出されたピークを示す図である。指向性Ｂの遅延プロファイルから検出されたピーク３０２の大きさをａとし、指向性Ｃの遅延プロファイルから検出されたピーク３０４の大きさをｂとする。ａとｂの大きさの比率がａ:ｂ＝１：１．８であるとき、このピーク比率からピークのロスを補正する補正値とパスの到来方向を割り出す。図５は、指向性Ｂと指向性Ｃの遅延プロファイルのピーク比率から補正値とパスの到来方向を割り出す図である。図５の縦軸は、遅延プロファイルのピークに生じたロス電力[ｄＢ]を示しており、横軸は、パスの到来方向[度]を示している。なお、右側の縦軸におけるピーク比率は、ａ：ｂ＝１：１．８を一例として示した。また、参照符号５０１は、指向性Ｂの特性曲線を示しており、参照符号５０２は、指向性Ｃの特性曲線をそれぞれ示している。参照符号５０３は、指向性Ｂと指向性Ｃの遅延プロファイルのピーク比率がａ:ｂ＝１：１．８に相当することを示しており、図４に対応している。すなわち、図４に示すパスは、ピークａが６[ｄＢ]、ピークｂが１．５[ｄＢ]ロスしており、パスの到来方向が＋５[度]であることが分かる。これにより、図４に示すパスのピーク電力と到来方向を割り出すことができる。なお、到来方向を割り出したことについては、実施の形態２で触れる。図６に示すように、大きい方のピークｂを１．５[ｄＢ]分補正することにより、指向性ウェイトの影響を受けなかった場合のピーク値と等価にすることができる。なお、補正しなかった小さい方のピークａは、パス選択の対象から外す。
【００４６】
図７は、隣り合う２つの指向性（図３における指向性Ｂと指向性Ｃに相当）の遅延プロファイルからほぼ同位相で検出されたピークを示す図である。ただし、指向性Ｂのピークの大きさａと指向性Ｃのピークの大きさｂは、同一であるとする。すなわち、ａ：ｂ＝１：１であり、図５を参照するに参照符号５０４に相当する。ピークａとピークｂは、それぞれ３[ｄＢ]ロスしていることが分かり、到来方向０度（指向性Ｂと指向性Ｃのちょうど中間にパスが到来）であることが分かる。このことから、図７に示す２つのピークは、３[ｄＢ]ロスしていることが分かり、この２つのピークは同値であるので、どちらか一方のピークを３[ｄＢ]分補正する。この様子を示したのが図８である。図８に示すように、指向性ウェイトの影響を受けなかった場合のピーク値と等価にすることができる。補正しなかったもう一方のピークは、パス選択の対象から外す。
【００４７】
２つの遅延プロファイルから図５の−１０[度]から＋１０[度]の間に該当するピークが検出されなかった場合は、隣り合う指向性の谷間にパスは到来していないものと判断し、補正処理は行わない。
【００４８】
このように本実施の形態によれば、隣り合う２つの指向性の谷間にパスが到来した場合、隣り合う２つの指向性に対応した遅延プロファイル上のほぼ同位相に存在する２つのピークの比率からピークのロスを補正する補正値を推定し、指向性によるピークのロスを補正することができるため、本来選択されるべき復調精度の高いパスが選択されなくなることを防止することができる。
【００４９】
(実施の形態２)
本実施の形態では、隣り合う２つの指向性の谷間にパスが到来したとき、２つの指向性に対応した遅延プロファイル上において、ほぼ同位相で検出された同一パスのピークが存在する場合、そのピーク比率から到来方向を推定し、後述する動的指向性をその到来方向に割り当てる場合について説明する。
【００５０】
図９は、本実施の形態に係る無線基地局装置の構成を示すブロック図である。図９において、図１と共通する部分には図１と同一の符号を付し、その詳しい説明は省略する。
【００５１】
指向性情報生成部９０１は、外部からの入力情報である各ブランチに対しての振幅、位相の変化量を１グループとしてとらえ、予めいくつかのグループに指向性の角度をパラメータとして対応づけておき、該当するパラメータを選択し、指向性生成部９０２に出力する。
【００５２】
指向性生成部９０２は、受信信号変換部１０２からの受信信号に対して、指向性情報生成部９０１から出力されたパラメータに基づいて、ビームを向けたい角度の指向性ウェイトを乗算することにより受信信号を位相回転させ、それらの乗算結果を足し合わせて合成することで指向性を生成し、各指向性の受信信号を遅延プロファイル生成部１０５に出力する。
【００５３】
なお、指向性生成部９０２は、遅延プロファイル生成部１０５に３つ以上の遅延プロファイルを生成させるため、３つ以上の指向性受信信号を形成し、そのうちの１つの指向性受信信号については、指向性をある一定時間ごとに方向をずらしながら受信しているものとし、パスサーチ部９０３により生成された指向性情報がある場合は、その指向性に相当する受信信号を形成する。この指向性について以下、「動的指向性」といい、動的指向性を所望の方向に向かせる前のパスサーチを「初期パスサーチ」と呼ぶ。
【００５４】
パスサーチ部９０３は、遅延プロファイル生成部１０５により生成された各遅延プロファイルのピークを検出し、所定の条件に基づいてパス選択を行い、パスのタイミングを逆拡散部１０７に出力する。また、動的指向性の指向性情報を生成し、指向性生成部９０２に出力する。
【００５５】
次に、パスサーチ部９０３の内部構成について、図１０を用いて詳しく説明する。ピーク検出部１００１は、遅延プロファイル生成部１０５によって生成された動的指向性以外の指向性に対応する各遅延プロファイルに基づいて、所定の閾値を越えるピークを検出し、ピークおよびピークのタイミングを同一パス判定部１００２に出力する。同一パス判定部１００２は、ピーク検出部１００１によって検出されたピークが同一パスによるものかどうかを判定し、判定結果をピーク比率算出部１００３に出力する。
【００５６】
ピーク比率算出部１００３は、同一パス判定部１００２において同一のパスであると判定された２つのピークの大きさから比率を算出し、算出結果をピーク補正部１００５と到来方向推定部１００７に出力する。
【００５７】
角度／ゲイン算出部１００４は、指向性情報生成部９０１により生成された指向性情報から、指向性の角度と利得（ゲイン）を算出し、指向性パターンを求め、ピーク補正部１００５と到来方向推定部１００７に出力する。
【００５８】
ピーク補正部１００５は、角度／ゲイン算出部１００４により算出された指向性パターンとピーク比率算出部１００３よって算出されたピーク比率に基づいて補正値を算出し、算出した補正値を対応するピークに乗算して補正後のピークをパス選択部１００６に出力する。
【００５９】
パス選択部１００６は、初期パスサーチを行うときは、動的指向性に対応した遅延プロファイルを無視して、ピーク補正部１００５より出力された補正後のピークの降順にパスを所定数選択し、パスのタイミングを逆拡散部１０７に報知する。また、初期パスサーチ後は、隣り合う指向性の谷間に到来したパスの方向（補正後のピークが最も大きいパスの到来方向）に向けられた動的指向性に対応した遅延プロファイルがあるので、この遅延プロファイルのみに基づいて、パス選択を行い、パスのタイミングを逆拡散部１０７に報知する。
【００６０】
到来方向推定部１００７は、角度／ゲイン算出部１００４により算出された指向性パターンとピーク比率算出部１００３によって算出されたピーク比率に基づいて、隣り合う指向性の谷間に到来したパスの到来方向を推定し、推定結果を動的指向性生成部１００８に報知する。動的指向性生成部１００８は、隣り合う指向性の谷間に到来したパスの到来方向（補正後のピークが最も大きいパスの到来方向）に動的指向性を割り当てるためのパラメータを生成し、指向性生成部９０２に出力する。
【００６１】
次に、上記構成を有するパスサーチ部９０３の動作について説明する。まず、初期パスサーチを行う場合について述べる。ピーク検出部１００１では、遅延プロファイル生成部１０５によって生成された各遅延プロファイルに基づいて、所定の閾値を越えるピークが検出され、ピークおよびピークのタイミングが同一パス判定部１００２に出力される。ピーク検出部１００１によって検出されたピークは、同一パス判定部１００２において、遅延プロファイル毎に位相値の大きさにしたがって（降順に）整列される。そして、一番大きなピークと隣り合う指向性から得られたピークとが比較され、同一パスが存在するかどうかが判定される。
【００６２】
ピークを比較した結果、同一パスがあると判定された場合、この判定結果がピーク比率算出部１００２に出力される。一方、同一パスがないと判定された場合、次に大きなピークのタイミングであるピークを基準に、同一パスと判定されるピークが見つかるまで、基準とするピークの大きさを順々に下げ、隣り合う指向性から得られたピークとを比較し、上記と同様な判定を行う。比較候補がなくなった場合、次のフレーム処理に移行する。
【００６３】
同一パス判定部１００２において、隣り合う指向性から得られた２つのピークが、同一のパスであると判定されたことより、ピーク比率算出部１００３において、その２つのピークの大きさから比率が算出され、算出結果がピーク補正部１００５と到来方向推定部１００７に出力される。
【００６４】
角度／ゲイン算出部１００４では、指向性情報生成部９０１により生成された指向性情報に基づいて、指向性の角度と利得（ゲイン）が算出され、指向性パターンが求められ、ピーク補正部１００５と到来方向推定部１００７に出力される。
【００６５】
ピーク補正部１００５では、ピーク比率算出部１００３によって算出されたピーク比率に基づいて、補正値が算出される。そして、遅延プロファイル生成部１０５より出力された遅延プロファイルにおいて該当するピークのうち大きい方のピークに、ピーク比率算出部１００３より算出された補正値が乗算される。また、補正しなかったもう一方のピークは、パス選択の対象から外される。このようにして得られた遅延プロファイルがパス選択部１００６に出力される。
【００６６】
パス選択部１００６では、ピーク補正部１００５より出力された補正後のピークの降順にパスが所定数選択され、パスのタイミングが逆拡散部１０７に報知される。
【００６７】
到来方向推定部１００７では、ピーク比率算出部１００３により算出された結果に基づいて、隣り合う指向性の谷間に到来したパスの到来方向が推定され、推定結果が動的指向性生成部１００８に報知される。動的指向性生成部１００８では、到来方向推定部１００７により推定された結果に基づいて、隣り合う指向性の谷間に到来したパスの到来方向（補正後のピークが最も大きいパスの到来方向）に動的指向性を割り当てるための指向性ウェイトが生成され、指向性生成部９０２に出力される。
【００６８】
次に、初期パスサーチ後について述べる。動的指向性生成部１００８により生成された動的指向性の指向性ウェイトが、指向性生成部９０２において、隣り合う指向性の谷間に到来したパスの受信信号に乗算され、指向性が生成される。動的指向性をパスの到来方向（補正後のピークが最も大きいパスの到来方向）に割り当てた概念図を図１１に示す。図１１において、指向性１１０１から１１０３があったとき、指向性１１０１と指向性１１０２の谷間に到来したパスに動的指向性１１０４を割り当てている。
【００６９】
動的指向性の受信信号が遅延プロファイル生成部１０５に出力され、動的指向性に対応する遅延プロファイルが生成される。パス選択部１００６において、遅延プロファイル生成部１０５により生成された遅延プロファイルのみに基づいて、パス選択が行われ、選択されたパスのタイミングが求められる。パス選択部１００６により求められたパスのタイミングが逆拡散部１０７に報知される。
【００７０】
このように本実施の形態によれば、初期受信時に隣り合う２つの指向性の谷間に到来した本来選択されるべきパスを、動的指向性パターンで受信することができるため、到来方向が異なる他のパスもしくは他移動局送信波の影響を軽減し、パス選択を行うことができる。
【００７１】
本実施の形態では、初期パスサーチにおいて、隣り合う指向性の谷間に到来したパスの方向に動的指向性を向ける動作を含めたが、予めこのパスの到来方向に動的指向性を向ける構成とすることも可能であり、その場合、ピーク補正部１００５は不要となる。このため、上記効果を有すると共に、ピーク補正部１００５を設ける必要がなくなるので回路構成を容易にすることができる。
【００７２】
【発明の効果】
以上説明したように、本発明によれば、隣り合う２つの指向性の谷間にパスが到来した場合、隣り合う２つの指向性に対応した遅延プロファイル上でほぼ同位相に存在する２つのピーク比率に基づいて、指向性の影響を軽減した遅延プロファイルを再現することができるため、本来選択されるべき復調精度の高いパスが選択されなくなることを防止することができる。
【図面の簡単な説明】
【図１】本発明の実施の形態１に係る無線基地局装置の構成を示すブロック図
【図２】本発明の実施の形態１に係るパスサーチ部の内部構成を示すブロック図
【図３】各指向性に対応した遅延プロファイルから同一パス判定の処理を示す図
【図４】隣り合う２つの指向性に対応した遅延プロファイルからほぼ同位相で検出されたピークを示す図
【図５】指向性Ｂと指向性Ｃの遅延プロファイルのピーク比率から補正値とパスの到来方向を割り出す図
【図６】指向性Ｃの遅延プロファイルにおいて補正後のピークを示す図
【図７】隣り合う２つの指向性に対応した遅延プロファイルからほぼ同位相で検出されたピークを示す図
【図８】指向性Ｂの遅延プロファイルにおいて補正後のピークを示す図
【図９】本発明の実施の形態２に係る無線基地局装置の構成を示すブロック図
【図１０】本発明の実施の形態２に係るパスサーチ部の内部構成を示すブロック図
【図１１】本発明の実施の形態２に係る動的指向性のビーム方向と到来波を示す概念図
【図１２】指向性のビーム方向とマルチパスの到来波を示す概念図
【符号の説明】
１０１  アダプティブアレイアンテナ
１０２  受信信号変換部
１０３、９０１  指向性情報生成部
１０４、９０２  指向性生成部
１０５  遅延プロファイル生成部
１０６、９０３  パスサーチ部
１０７  逆拡散部
１０８  復調部
２０１、１００１  ピーク検出部
２０２、１００２  同一パス判定部
２０３、１００３  ピーク比率算出部
２０４、１００４  角度／ゲイン算出部
２０５、１００５  ピーク補正部
２０６、１００６  パス選択部
１００７  到来方向推定部
１００８  動的指向性生成部
【図１】
0003897564.tif 000002
【図２】
0003897564.tif 000003
【図３】
0003897564.tif 000004
【図４】
0003897564.tif 000005
【図５】
0003897564.tif 000006
【図６】
0003897564.tif 000007
【図７】
0003897564.tif 000008
【図８】
0003897564.tif 000009
【図９】
0003897564.tif 000010
【図１０】
0003897564.tif 000011
【図１１】
0003897564.tif 000012
【図１２】
0003897564.tif 000013